(57)【要約】
【課題】  加熱により溶融したり、使用者の火傷のおそれのないライターの風防を実現する。
【解決手段】  燃料タンクの頭部に設けた着火機構の前後に炎長調節部材及び着火レバーを配したライターＬの前方側が位置する箇所に、上昇時に炎を遮るように上下摺動自在に取り付けられる風防４において、風防をプラスチックにより構成すると共に、上昇時に炎を覆う上方箇所に金属製のカバー７を設け、上記風防とカバーとの間に空隙を設ける。
【選択図】      図１
0003101328.tif 000002
【実用新案登録請求の範囲】
【請求項１】
燃料タンクの頭部に設けた着火機構の前後に炎長調節部材及び着火レバーを配したライターの前方側が位置する箇所に、上昇時に炎を遮るように上下摺動自在に取り付けられる風防において、風防をプラスチックにより構成すると共に、上昇時に炎を覆う上方箇所に金属製のカバーを設け、上記風防とカバーとの間に空隙を設けたことを特徴とするライターの風防。
【請求項２】
カバーの端部を風防側に向けて鍔状に折曲した鍔部の端部を風防に当接させることにより、風防とカバーの間に空隙を設ける手段とした請求項１記載のライターの風防。
【請求項３】
カバーの裏面より風防側に向けて突設した複数の突起の端部を風防に当接させることにより、風防とカバーの間に空隙を設ける手段とした請求項１又は２記載のライターの風防。
【請求項４】
ライターを筒状のケース内に収容すると共に、ケース外側の胴箇所にケースを胴回り方向に抱持すべき縦割り筒状の風防を上下動自在に外嵌することにより、風防の取り付け手段とした請求項１から３の何れかに記載のライターの風防。
【請求項５】
ライターにその胴回り方向を抱持して胴箇所の周側の一部に外嵌される縦割り筒状のホルダーを取り付け、上記ホルダーとライターの胴箇所間に形成される間隙内に縦割り筒状の風防を上下動自在に嵌入することにより、風防の取り付け手段とした請求項１から３の何れかに記載のライターの風防。
【考案の詳細な説明】
【技術分野】
【０００１】
この考案は、ライターに関し、より詳細には炎を外風から遮る風防機能を有するライターの風防の構造に関する。
【背景技術】
【０００２】
簡易な外装からなる、所謂「使い捨てライター」と呼ばれているライターが広く普及している。この種のライターは棒状のタンクの頭部に、上端にノズル孔を配した着火機構を設けた基本構成を有し、着火機構の前後に炎長調節部材及び着火レバーが設けられる。
【０００３】
この種のライターは最低限の外装を有するのみなので、その体裁を高めるために、着火操作部及びノズルを上部に露出した状態でライターを筒状のケース内に収容するライター用アダプターが従来提案されており、アダプター付きライター或いはアダプター単体で販売されている。
【０００４】
一方、最低限の外装しか有しない使い捨てライターにおいては、通常のライターのように風防を兼ねる蓋を有しないので、風が強い屋外での使用に支障を来す問題があった。そこで、この問題を解消するためにケースに風防機能を持たせた考案が提案されていた。
【０００５】
特許文献１の従来技術のライターアダプターにおいては、筒状のケース内に風防を上下摺動自在に挿入し、ケースに風防の背部が露出する窓部を穿設することにより、使用者においてケースの窓部から露出した風防を親指の腹等により上下動する構成としていた。又、特許文献２の従来技術のライターアダプラーにおいては、ライターを筒状のケース内に収容すべきケースにおいて、ケース外側の胴箇所にケースを胴回り方向に抱持すべき縦割り筒状の風防を上下動自在に外嵌することにより、上昇させた風防によりノズルからの炎の周囲の一部を覆う構成としていた。
【特許文献１】実公平１−４１０７号公報
【特許文献２】特開２０００−２８３４６１号公報
【考案の開示】
【考案が解決しようとする課題】
【０００６】
以上の従来技術は使い捨てライターの体裁を高めると共に風防機能を実現する点において画期的な考案であった。しかしながら、風向きなどにより炎が風防をかすめたり、長時間点火した場合に風防が加熱され、それがプラスチック製の場合は溶融のおそれがあった。一方、風防を金属製とした場合は溶融の心配はないが熱伝導が良いので高温に加熱されてそれに触れた使用者が火傷するおそれがあった。
【０００７】
前記の場合、プラスチック製の風防に金属製のカバーを積層すれば、少なくとも使用者が火傷をするおそれは解消するが、高温に加熱されたカバーが接する風防の部分が溶融することは避けられなかった。
【課題を解決するための手段】
【０００８】
この考案は以上の従来技術の問題点を解消したライターの風防を提供することを目的として創作されたものである。即ち、この考案のライターの風防は燃料タンクの頭部に設けた着火機構の前後に炎長調節部材及び着火レバーを配したライターの前方側が位置する箇所に、上昇時に炎を遮るように上下摺動自在に取り付けられる風防において、風防をプラスチックにより構成すると共に、上昇時に炎を覆う上方箇所に金属製のカバーを設け、上記風防とカバーとの間に空隙を設けたことを特徴とする。
【考案の効果】
【０００９】
この考案によれば、プラスチック製の風防と金属製のカバーの間に空隙を設けることにより空隙内の空気による断熱作用が生じ、炎によりカバーが加熱されてもその熱が風防に伝わることが可及的に防止される作用を生じる。よって、加熱されたカバーの熱が伝わってプラスチック製の風防が溶融されることが防止されると共に、使用者の火傷のおそれを防止しつつ、炎に対する耐久性が高い金属製のカバーを使用することが可能となる。
【考案を実施するための最良の形態】
【００１０】
以下、この考案の具体的実施例を添付図面に基づいて説明する。図１乃至図７は、この考案の風防の第１実施例を示す図である。ここでは、ライターを筒状のケース内に収容すると共に、ケース外側の胴箇所にケースを胴回り方向に抱持すべき縦割り筒状の風防を上下動自在に外嵌することにより、風防の取り付け手段としたライターの風防を例にとる。      
【００１１】
図中符号１はライターを収容すると共に風防を保持するためのケースである。このケース１はこの実施例においてはプラスチックにより成形されるものであり、下方に底を設けると共に上方に開口を設けた筒状に構成され、ライターＬは開口からケース内に挿入・収容される。ライターＬは、棒状のタンク１１の頭部に、上端にノズル孔１２を配した着火機構１０を設けた基本構成を有し、着火機構の前後に炎長調節部材１４及び着火レバー１３が設けられる公知の使い捨てライターである。
【００１２】
図中符号２はケース本体１のライターＬの前方側が位置する箇所に設けられる本体側窓部であり、ケース本体の上端から下方中途に向かって前方部分を切り欠くことにより、挿入されるライターの着火機構１０とタンク１１の一部が露出するよう構成される。
【００１３】
図中符号４は、ケース本体１のライターＬの前方側が位置する箇所に上下摺動自在に外嵌されることにより、上昇時にライターＬのノズル１２からの炎の周囲の一部を覆う風防であり、ケース本体１を胴回り方向に抱持すべき縦割り筒状に構成される。この風防４は復元性を有する素材により構成されると共に、胴回り方向の開口部を胴箇所より幅狭に絞り込むことにより、開口端がケース本体１を胴回り方向に抱持するようにしている。この実施例においては、風防４の胴回り方向の開口端の内側に一対の突条６、６を突設すると共に、これと対応してケース本体１の本体側窓部２の開口端の外側に向けて一対の長溝３、３を設け、抱持による圧接力を伴って風防の開口端の一対の突条６、６がケース本体の本体側窓部の開口端の一対の長溝３、３に摺嵌するようにしている。
【００１４】
図中符号５は風防４の下方側前方に設けられる風防側窓部であり、風防の下降位置においてライターＬのタンク１１の一部が露出し、同じく上昇位置において炎長調節部材１４が露出するよう設けられる。
【００１５】
図４及び図５はこの考案の要旨の風防の詳細を示す図である。風防４はプラスチックにより構成されると共に、上昇時に炎を覆う上方箇所のライターのノズル孔１２側には風防の内周形状に合致した縦割り筒状の金属製のカバー７が、風防との間に空隙Ｓを設けた状態で接合される。この実施例では上記カバー７の上下端に風防６側に向けて鍔状に折曲した鍔部８、８を設け、接合にあたりこれらの鍔部端を風防に当接させることにより鍔部の長さに応じた空隙Ｓを確保している（図５参照）。
【００１６】
尚、空隙Ｓを設ける手段は前記のものに限らず、例えば図６、７に示すようにカバー７の裏面より風防４側に向けて複数の突起９を突設し、接合にあたりこれらの突起端を風防に当接させることにより突起の長さに応じた空隙を確保してもよい。尚、ここでは前記の鍔部とこの突起を併用している。
【００１７】
図８乃至図１０は、この考案の風防の第２実施例を示す図である。ここでは、ライターにその胴回り方向を抱持して胴箇所の周側の一部に外嵌される縦割り筒状のホルダーを取り付け、上記ホルダーとライターの胴箇所間に形成される間隙内に縦割り筒状の風防を上下動自在に嵌入することにより、風防の取り付け手段としたライターを例にとっている。      
【００１８】
図中符号２０はホルダーである。このホルダー２０は、ここでは撓めた場合に復元性を有するプラスチックにより成形されるものであり、片面が開放された縦割り筒状に構成され、ここでは下方に底２１を設けている。上記のホルダー２０はライターＬの胴回り方向を抱持してその胴箇所の周側の一部に外嵌される機能を有する。そのために、ここではライターＬの胴箇所の半周側を覆う断面アーチ状とすると共に、ライターの胴箇所を強圧力をもって抱持するように、アーチの開口両端の内側の間隔をライターの胴箇所の幅より狭く設定し、この両端を押し開くようにしてライターを嵌入する。
【００１９】
図中符号２４は風防であり、縦割り筒状に構成される。この風防２４は上記ホルダー２０とライターＬの胴箇所間に形成される間隙内に上下動自在に摺嵌される。ここでは、上記間隙を形成する手段として、ホルダー２０の両端内周側にライターＬの胴箇所に当接する一対の肉厚部２３、２３を設けることにより、残余の肉薄部とライターの胴箇所間に間隙を形成している。尚、図中符号２２は使用者の指先を挿入可能とすることにより指の腹等により風防２４を押し上げたり、押し下げたりするために風防に切り欠かれる窓である。
【００２０】
前記の第１実施例の場合と同様に、風防２４はプラスチックにより構成されると共に、上昇時に炎を覆う上方箇所のライターのノズル孔側には風防の内周形状に合致した縦割り筒状の金属製のカバー２５が、風防との間に空隙を設けた状態で接合される。ここでは、上記カバー２５の上下端に風防２４側に向けて鍔状に折曲した鍔部２６、２６を設け、接合にあたりこれらの鍔部端を風防に当接させることにより鍔部の長さに応じた空隙を確保している。
【図面の簡単な説明】
【００２１】
【図１】この考案の風防を設けたライターの第１実施例の風防を上昇させた状態の斜視図。
【図２】同上、ケースの分解斜視図。
【図３】同上、風防を下降させた状態の斜視図。
【図４】同上、風防の分解斜視図。
【図５】同上、風防の断面図。
【図６】同上、風防の分解斜視図。
【図７】同上、風防の断面図。
【図８】この考案の風防を設けたライターの第２実施例の風防を上昇させた状態の斜視図。
【図９】同上、分解斜視図。
【図１０】同上、風防の分解斜視図。
【符号の説明】
【００２２】
Ｌ        ライター
Ｓ        間隙
１        ケース
４        風防
７        カバー
【図１】
0003101328.tif 000003
【図２】
0003101328.tif 000004
【図３】
0003101328.tif 000005
【図４】
0003101328.tif 000006
【図５】
0003101328.tif 000007
【図６】
0003101328.tif 000008
【図７】
0003101328.tif 000009
【図８】
0003101328.tif 000010
【図９】
0003101328.tif 000011
【図１０】
0003101328.tif 000012